(57)【要約】      （修正有）【課題】加熱領域に載置された調理器具が、操作スイッチ側に近づくことのないコンロ装置を提供する。【解決手段】天板２とは別部材の長尺の仕切り部材４を、磁石による磁力によって上記加熱領域と操作ボタン３との間の設定位置に着脱自在に設けた。この仕切り部材４の底面に永久磁石を埋め込むと共に、この仕切り部材４を天板２の上面の設定位置に取り付けた際に、この永久磁石を検知する磁気センサを天板の下方に配設し、仕切り部材４が上記設定位置に取り付けられていなければ加熱領域２での加熱を禁止するインターロック手段を設けた。【選択図】図１
2014130695.tif 000002
【特許請求の範囲】
【請求項１】
上面を覆う平板状の天板の上面に、誘導コイルが発生する電磁力により調理器具を加熱する加熱領域と、加熱領域での加熱状態を制御する操作ボタンとが設定されたコンロ装置において、上記天板とは別部材の長尺の仕切り部材を、磁石による磁力によって上記加熱領域と操作ボタンとの間の設定位置に着脱自在に設けたことを特徴とするコンロ装置。
【請求項２】
上記仕切り部材の底面に永久磁石を埋め込むと共に、この仕切り部材を天板の上面の設定位置に取り付けた際に、この永久磁石を検知する磁気センサを天板の下方に配設し、仕切り部材が上記設定位置に取り付けられていなければ加熱領域での加熱を禁止するインターロック手段を設けたことを特徴とする請求項１に記載のコンロ装置。
【発明の詳細な説明】
【技術分野】
【０００１】
本発明は、天板の下方に配置された加熱コイルから発生する電磁力によって天板の上面に載置された調理器具を加熱して調理を行うコンロ装置に関する。
【背景技術】
【０００２】
従来のこの種の誘導加熱式のコンロ装置は、それ以前のガスバーナの炎で調理器具を加熱するガスコンロ装置に比べて天板に穴を開ける必要がなく、天板を１枚のフラットなガラス板で形成することができる。そのため、すっきりとしたデザインにすることができる。また、ガスコンロ装置では火力調節つまみや点消火ボタンを前面に設けていたが、誘導加熱式のコンロ装置ではタッチスイッチ等で火力調節や電源のオンオフをすることができるので、操作ボタンを天板の上面に配設したものが知られている（例えば、特許文献１参照）。
【先行技術文献】
【特許文献】
【０００３】
【特許文献１】特開２０１２−７８５０号公報（図２）
【発明の概要】
【発明が解決しようとする課題】
【０００４】
上記特許文献１に記載された従来のコンロ装置では、天板の大きさが十分に大きいので、調理器具を載置する加熱領域と、この加熱領域の火力等を制御する操作ボタンとの距離を十分に離すことができる。そのため、調理器具の位置が多少ずれても操作ボタンを操作する際に、指が調理器具に接触するおそれは低い。ところが、短期賃貸マンションやビジネスホテルに設置されているコンロ装置では設置スペースを十分に確保することが難しく、天板が狭くなる。すると加熱領域と操作スイッチとの距離が狭くなり、調理中に操作スイッチを操作する際に、高温となった調理器具に指が接触するおそれが高まる。
【０００５】
また、調理器具からの熱が天板に伝達され、天板自体が熱くなり、調理器具が操作スイッチに近づいていると、操作スイッチに触れる際に不快な思いをすることもある。
【０００６】
そこで本発明は、上記の問題点に鑑み、加熱領域に載置された調理器具が操作スイッチ側に近づくことのないコンロ装置を提供することを課題とする。
【課題を解決するための手段】
【０００７】
上記課題を解決するために本発明によるコンロ装置は、上面を覆う平板状の天板の上面に、誘導コイルが発生する電磁力により調理器具を加熱する加熱領域と、加熱領域での加熱状態を制御する操作ボタンとが設定されたコンロ装置において、上記天板とは別部材の長尺の仕切り部材を、磁石による磁力によって上記加熱領域と操作ボタンとの間の設定位置に着脱自在に設けたことを特徴とする。
【０００８】
加熱領域と操作スイッチの間に仕切り部材を取り付ければ、調理器具は加熱領域側から操作スイッチに向かって近づくことができないが、天板の上面を清掃する際に仕切り部材が掃除の邪魔になる。そこで、仕切り部材を着脱自在とした。
【０００９】
但し、仕切り部材を取り外した状態で調理を行うと上記不具合が生じるので、上記仕切り部材の底面に永久磁石を埋め込むと共に、この仕切り部材を天板の上面の設定位置に取り付けた際に、この永久磁石を検知する磁気センサを天板の下方に配設し、仕切り部材が上記設定位置に取り付けられていなければ加熱領域での加熱を禁止するインターロック手段を設けた。
【発明の効果】
【００１０】
以上の説明から明らかなように、本発明は、調理中の調理器具を操作スイッチに近づけないので、調理中に操作スイッチを操作する指が調理器具に接触することがなく、また操作スイッチが設けられている部分が調理器具から伝達される熱で加熱されることもない。
【図面の簡単な説明】
【００１１】
【図１】本発明の一実施の形態の構成を示す図
【図２】コンロ装置の平面図
【図３】III-III断面図
【発明を実施するための形態】
【００１２】
図１を参照して、１は本発明によるコンロ装置であり、上面はガラス板からなる天板２で覆われている。本コンロ装置１は天板２上の２カ所に加熱領域２１，２２が設定されている。本実施の形態では、手前側の加熱領域２１の下方に図示しない加熱コイルを配設した。この加熱コイルからは交番磁界が発生され、加熱領域２１に配設された調理器具の主に底板内部に渦電流を誘導させ、その渦電流により底板部分自体を発熱させるように構成した。なお、加熱領域２２の下方にも同様の加熱コイルを配設してもよいが、本実施の形態では、ラジェントヒータを配設し、そのラジェントヒータから発せられる赤外線によって加熱領域２２に載置された調理器具を加熱するように構成した。
【００１３】
そして、両加熱領域２１，２２での加熱のオンオフや加熱量を個別に制御する操作ボタンをスイッチ群３内に設けた。このスイッチ群３内にはこのほか全体の電源をオンオフする電源スイッチや図外の換気扇のオンオフする換気扇スイッチ、およびコンロ装置１を上方から照明する照明装置のオンオフを行う照明スイッチ等が含まれている。
【００１４】
そして、本発明では、加熱領域２１とスイッチ群３との間に着脱自在の仕切り部材４を設けた。
【００１５】
図２を合わせて参照して、上記スイッチ群３は天板２の下方に配設された基板３１に設けられた図示しないタッチセンサに対応して設定されている。従って、スイッチ群３内のスイッチに触れると、その触れたことをタッチセンサが検知して火力の増減等の制御を行うことができる。
【００１６】
図３を参照して、この基板３１にはタッチセンサの他に磁気センサ３２を設けた。この磁気センサ３２は磁石が近接したことを検知するものである。一方、上記仕切り部材４の中程の位置に永久磁石４１を埋設している。従って、仕切り部材４を図１および図２に示す位置（設定位置）にセットすると、仕切り部材４が設定位置に取り付けられたことを、この磁気センサ３２によって検知することができる。
【００１７】
なお、仕切り部材４の両端部には磁性体が設けられており、天板２の下方に取り付けた永久磁石３３の磁力によって仕切り部材４の両端部分が吸着され、仕切り部材４を設定位置に保持する。
【００１８】
仕切り部材４が設定位置に取り付けられていれば、調理器具が加熱領域２１からスイッチ群３方向にずれようとしても、仕切り部材４が調理器具の移動を阻止して、調理器具がスイッチ群３に近づくことが防止される。
【００１９】
なお、天板２の上面を清掃する場合には仕切り部材４は邪魔になるので、永久磁石３３の磁力による吸着力に抗して持ち上げて設定位置から取り外せばよい。なお、仕切り部材４を取り外したままで調理を開始できないように、上記磁気センサ３２が仕切り部材４の取り付けを検知しなければコンロ装置１全体が作動しないようにした。
【００２０】
なお、本発明は上記した形態に限定されるものではなく、本発明の要旨を逸脱しない範囲内において種々の変更を加えてもかまわない。
【符号の説明】
【００２１】
１  コンロ装置
２  天板
３  スイッチ群
４  仕切り部材
２１  加熱領域
２２  加熱領域
３１  基板
３２  磁気センサ
３３  永久磁石
４１  永久磁石
【図１】
2014130695.tif 000003
【図２】
2014130695.tif 000004
【図３】
2014130695.tif 000005